(57)【要約】【課題】バンク部のインキの液高をドクター刃の長さ方向で均一にし印刷品質を高める。【解決手段】ドクター刃（３）と、ドクター刃を保持するドクターホルダ（４）とを具備し、ドクター刃及びドクターホルダの背後にインキのバンク部（５）が形成されるようにしたグラビア印刷機のドクター装置において、バンク部内のインキを吸引する吸引孔（６）が版胴（１）の軸方向に沿うように、所定間隔で多数形成され、ドクターホルダのバンク部と反対側には上記吸引孔を覆うマニホルド（７）が取り付けられ、マニホルドにインキの吸引手段（８）が接続される。【選択図】図３
2014065164.tif 000002
【特許請求の範囲】
【請求項１】
ドクター刃と、ドクター刃を保持するドクターホルダとを具備し、ドクター刃及びドクターホルダの背後にインキのバンク部が形成されるようにしたグラビア印刷機のドクター装置において、バンク部内のインキを吸引する吸引孔が版胴の軸方向に沿うように、少なくともドクターホルダの両側と中央に各々形成され、ドクターホルダのバンク部と反対側には上記吸引孔を覆うマニホルドが取り付けられ、マニホルドにインキの吸引手段が接続されたことを特徴とするグラビア印刷機のドクター装置。
【請求項２】
請求項１記載のグラビア印刷機のドクター装置において、多数の吸引孔が版胴の軸方向に沿うように所定間隔でドクターホルダに形成されたことを特徴とするグラビア印刷機のドクター装置。
【発明の詳細な説明】
【技術分野】
【０００１】
本発明は、グラビア印刷機に設けられるドクター装置に関する。
【背景技術】
【０００２】
従来、出版物、包装材料等の大量印刷にグラビア印刷方法が採用されている。グラビア印刷は、インキを版胴(凹版)に塗工し、版胴の凹部に入ったインキを紙面に転写する印刷方式である。
【０００３】
すなわち、シリンダー型の版胴の一部をインキパンの中の液状インキに浸して版胴を回転させ、版胴の周面に付着した余剰のインキをドクター装置によって掻き取り、版胴の凹部内に入ったインキを紙等の被印刷物に転写することで、所定の画像を被印刷物に印刷しようというものである。グラビア印刷中、ドクター刃によって掻き取られた上記余剰のインキはインキパンに戻り、再び版胴の表面に供給される。
【０００４】
ところが、生産条件や環境によって上記インキパンを装備できない場合がある（例えば、特許文献１、２参照）。このような場合は、ホースでドクター刃の背後のバンク部（インキが溜まっている部分）にノズル等からインキを供給し、バンク部からインキがオーバーフローしないようにバンク部の両側からインキを吸引してインキの供給源に戻すようにしている。従来、バンク部からのインキの吸引は、作業者がバンク部にホースを当てて行っている。
【先行技術文献】
【特許文献】
【０００５】
【特許文献１】実開昭５８−２６９７３公報
【特許文献２】特開平９−２１４１０８号公報
【発明の概要】
【発明が解決しようとする課題】
【０００６】
従来のホースによるインキ吸引方法は、ドクター刃の両側すなわち版胴の両側の一方又は双方からバンク部のインキを吸引するものであるが、そのような吸引を行うとバンク部内でのインキの液高がドクター刃の中心部と両側部との間で相違し、版胴に対するインキの塗工も版胴の軸方向で不均一となり、印刷品質が低下する。
【０００７】
また、版胴へのインキの供給量を増加させた場合に、ドクター刃の両脇からの吸引だけでは吸引不良によるインキ漏れが発生するおそれがある。
【０００８】
したがって、本発明は上記問題点を解決することができるグラビア印刷機のドクター装置を提供することを目的とする。
【課題を解決するための手段】
【０００９】
上記課題を解決するため、本発明は次のような構成を採用する。
【００１０】
なお、本発明の理解を容易にするため括弧付きの符号を付すが、本発明はこれに限定されるものではない。
【００１１】
すなわち、請求項１に係る発明は、ドクター刃（３）と、ドクター刃（３）を保持するドクターホルダ（４）とを具備し、ドクター刃（３）及びドクターホルダ（４）の背後にインキのバンク部（５）が形成されるようにしたグラビア印刷機のドクター装置において、バンク部（５）内のインキを吸引する吸引孔（６）が版胴（１）の軸方向に沿うように、少なくともドクターホルダ（４）の両側と中央に各々形成され、ドクターホルダ（４）のバンク部（５）と反対側には上記吸引孔（６）を覆うマニホルド（７）が取り付けられ、マニホルド（７）にインキの吸引手段（８）が接続されたグラビア印刷機のドクター装置を採用する。
【００１２】
また、請求項２に係る発明は、請求項１記載のグラビア印刷機のドクター装置において、多数の吸引孔（６）が版胴（１）の軸方向に沿うように所定間隔でドクターホルダ（４）に形成されたものとすることができる。
【発明の効果】
【００１３】
本発明によれば、バンク部（５）内インキを吸引する吸引孔（６）が版胴（１）の軸方向に沿うように、少なくともドクターホルダ（４）の両側と中央に各々形成され、又は所定間隔で多数形成され、ドクターホルダ（４）のバンク部（５）と反対側には上記吸引孔（６）を覆うマニホルド（７）が取り付けられ、マニホルド（７）にインキの吸引手段（８）が接続されたことから、バンク部（５）でのインキの液高がドクター刃（３）の中心部と両側部との間で均一化し、版胴（１）に対するインキの塗工も版胴（１）の軸方向で均一となって、グラビア印刷の品質が向上する。
【００１４】
また、版胴（１）へのインキの供給量を増加させた場合であっても、ドクター刃（３）の両側のみならず中央からも吸引することができるので、インキ漏れの発生が的確に防止される。
【図面の簡単な説明】
【００１５】
【図１】本発明に係るドクター装置をグラビア印刷機の版胴と共に示す正面図である。
【図２】ドクター装置の斜視図である。
【図３】ドクター装置の横断面図である。
【発明を実施するための形態】
【００１６】
以下、図面を参照して本発明を実施するための形態について説明する。
【００１７】
図１乃至図３に示すように、このグラビア印刷機はそのシリンダー型の版胴１の周りにドクター装置２を備えるが、インキパンは設けられていない。
【００１８】
ドクター装置２は、ドクター刃３と、ドクター刃３を保持するドクターホルダ４とを具備する。
【００１９】
ドクター刃３は可撓性のある薄い鋼板等で作られる。このドクター装置２では、二枚のドクター刃３が重なり合うように設けられている。両ドクター刃３はそれらの先端が版胴１の表面に押し付けられることによって多少撓んでいる。
【００２０】
なお、ドクター刃３は、図示例では二枚であるが、一枚であってもよいし、三枚以上であってもよい。
【００２１】
ドクター刃３はドクターホルダ４に対し着脱可能であるが、その着脱機構は公知であるから、詳細な説明は省略する。
【００２２】
ドクター刃３及びドクターホルダ４の背後には、インキのバンク部５が設けられる。インキは、図示しないノズル等から供給されることによってバンク部５として貯留される。このバンク部５のインキは、版胴１が矢印方向に回転することにより、ドクター刃３によって版胴１のセル１ａ内に充填され、それ以外の余剰分はドクター刃３によってバンク部５内へと掻き戻される。
【００２３】
図２及び図３に示すように、ドクターホルダ４には、バンク部５のインキを吸引する吸引孔６が版胴１の軸方向に沿うように一定間隔で多数形成される。
【００２４】
なお、吸引孔６は、少なくともドクターホルダ４の両側と中央に各々一つずつ形成してもよい。
【００２５】
ドクターホルダ４の背後のバンク部５と反対側には、吸引孔６を覆うマニホルド７が取り付けられる。また、マニホルド７には、インキの吸引手段が接続される。吸引手段は、例えばインキの吸引ポンプ８であり、マニホルド７の両端の一方又は双方にホース等の導管９を介して接続される。吸引ポンプ８の作動により、バンク部５のインキは吸引孔６からマニホルド７内へと吸引され、導管９を通って図示しないインキの供給源へと戻される。その際、吸引孔６は版胴１の軸方向に平行に一定間隔で多数設けられているので、バンク部５内のインキの液高は版胴１の軸方向で均一に保持される。従って、版胴１のセル１ａに充填されるインキ量も版胴１の軸方向でバラツキを生じなくなり、印刷品質が向上する。
【００２６】
次に、上記構成のドクター装置の作用について説明する。
【００２７】
図１乃至図３に示すバンク部５にインキが供給される。インキは、図示しないノズル等により消費量に見合った量ずつバンク部５に供給される。
【００２８】
版胴１が矢印方向に回転し、この回転に伴って、バンク部５内のインキがドクター刃３によって版胴１のセル１ａ内に充填され、それ以外の余剰のインキがドクター刃３によってバンク部５内へと掻き戻される。
【００２９】
印刷の最中、吸引ポンプ８が作動し、バンク部５内からインキが吸引孔６からマニホルド７内へと吸引され、導管９を通ってインキの供給源へと戻される。
【００３０】
吸引孔６は版胴１の軸方向に平行に均一間隔で多数設けられていることから、バンク部５内のインキの液高は版胴１の軸方向で均一に保持される。従って、版胴１のセル１ａに充填されるインキ量も版胴１の軸方向でバラツキを生ぜず均等になる。その結果、グラビア印刷の品質が向上する。
【００３１】
なお、本発明は、上記実施の形態に限定されるものではなく、種々の変更が可能である。
【符号の説明】
【００３２】
１…版胴
２…ドクター装置
３…ドクター刃
４…ドクターホルダ
５…バンク部
６…吸引孔
７…マニホルド
８…吸引ポンプ
【図１】
2014065164.tif 000003
【図２】
2014065164.tif 000004
【図３】
2014065164.tif 000005